(57)【要約】      （修正有）【課題】合成樹脂粉粒体を酸化させることなく除湿乾燥できる原料予備乾燥装置の提供。【解決手段】原料が供給される開口部１０、除湿エア注入口２４、原材料が収納される胴体部１２及び該胴体部の下面に連通し、下方に向かってその断面を減じ、最下端において原料供給管１４に材料遮断シャッタ１６を介して接続された下半部１８が設けられた原料予備乾燥タンク２６において、排気口２０を有する蓋体２２で開口部１０を密閉できる構造とする。【選択図】図１
2007083696.tif 000002
【特許請求の範囲】
【請求項１】
上面は原料が供給される開口部（１０）が設けられ内部に原材料が収納される胴体部（１２）と、該胴体部（１２）の下面に連通し下方に向かってその断面を減じ最下端において原料供給管（１４）に材料遮断シャッタ（１６）を介して接続された下半部（１８）と、排気口（２０）を有し前記胴体部（１２）の前記開口部（１０）を密閉する蓋体（２２）と、少なくとも一個の除湿エア注入口（２４）を設けた  ことを特徴とする原料予備乾燥タンク（２６）。
【請求項２】
前記タンクに設けられる前記除湿エア注入口（２４）が前記原料タンクの胴体部（１２）と、前記原料予備乾燥タンク（２６）の前記下半部（１８）の前記材料遮断シャッタ（１６）近傍に設けたことを特徴とする請求項１に記載の原料予備乾燥タンク（２６）。
【請求項３】
前記原料予備乾燥タンク（２６）内で予備乾燥された原料を前記原料予備乾燥タンク（２６）の前記材料遮断シャッタ（１６）を介して連結された輸送管（１４）により輸送される予備乾燥された原料が収納される胴体部（２８）と、該胴体部（２８）の下面に連通し下方に向かってその断面を減じる下半部（３２）が最下端において真空用シャッタ（３０）に連結されてなる予備乾燥原料供給ホッパ（３４）と、  上部には前記予備乾燥原料供給ホッパ（３４）から供給された予備乾燥原料が堆積される予備乾燥原料堆積空間（３６）と、該空間の下方に連通して設けられた中部空間（３８）には縦に分割し各分割部の上部には加熱媒体が流通する加熱管（４０）を中心に加熱板（４２）を多数接合した原料加熱部（４４）が形成され、該加熱部（４４）の下には落下する原料が下端に接続されたエアローダ（４６）に連通する開口部に集合されるように設けた傾斜板（４８）とで構成された原料除湿乾燥装置（５０）と、  除湿乾燥した原料を成形機（５０）の原料供給ホッパ（５２）へ材料供給ホース（５４）により輸送するエアローダ（４６）と、  一端が前記原料除湿乾燥装置（３４）の前記予備乾燥原料堆積空間（３６）に取り付けられ中間にガス取用フィルタ（５６）を介在させた吸引管（５８）に接続された真空ポンプ（６０）と、  前記原料供給用ホッパ（３４）にダストフィルタ（６２）を介して接続され、乾燥装置（２８）または成形機（３８）に取り付けられたレベルスィッチによる感知信号により、吸気または排気するローダブロワ（４０）と、  とで構成されることを特徴とする合成樹脂粉粒体の加熱乾燥粒子の乾燥システム。
【発明の詳細な説明】
【発明の詳細な説明】
【技術分野】
【０００１】  本発明は合成樹脂粉粒体の加熱乾燥材料、特にペレット状または粒状のプラスチック合成樹脂材料の乾燥方法およびその装置に関する。
【背景技術】
【０００２】  プラスチックは吸湿性があるので、大気中に放置すると大気の温湿度により、０．数％から数％の水分を含有する。プラスチック成形機に供給されるプラスチック原料は通常ペレット状、すなわち粒状プッラスチック材料（以下単にペレットと称する。）として供給されるが、このペレットに規定以上の水分が含有されていると、加水分解を起こし、樹脂が劣化し、成形品の強度および靭性が劣化する。また、溶融樹脂の流動性が過剰化し、そのため金型内で過剰充填が起こり、バリの発生や形状不良等の問題が発生する。そのため、合成樹脂粉粒体を加熱乾燥するために、種々の提案がなされている。【０００３】
【特許文献１】特開２００２−１６０２１８には「合成樹脂粉粒体の乾燥装置」が開示されており、この発明は、シュート内を落下して押出機又は射出成形機の原料ホッパ内に投入される合成樹脂粉粒体を乾燥するための装置であって、前記シュート内に、少なくとも外周に通気部を有する傘状の原料分散板を設置するとともに該原料分散板の下方からシュート内に乾燥空気を導入する乾燥空気導入手段と、前記原料分散板の上方から乾燥空気を排出する排気部とを設けている。
【０００４】
【特許文献２】特開２０００−１９８１１５には、「合成樹脂粉粒体の除湿乾燥方法及びその装置が」開示されているが、その請求項１には、「乾燥装置本体の供給口に、吸い込み空気とともに搬送される合成樹脂粉粒体を前記吸い込み空気と分離して受け」と記載されている。」
【発明が解決しようとする課題】
【０００５】  このように従来の技術では、合成樹脂粉粒体が除湿乾燥装置に達するまでに、十分な工程が設けられていないか、又は全く不十分である。例えば、前記特許文献１では、合成樹脂粉粒体がシュート内を落下して押出機又は射出成形機の原料ホッパ内に投入されるまで、相当時間外気にさらされることになり、乾燥に時間が掛かったり、乾燥が不充分となる。
【０００６】  また、特許文献２においては、乾燥すべき合成樹脂粉粒体は吸い込み空気とともに搬送されるが、この吸い込まれた空気とともに搬送され、乾燥装置に入れる際に、初めて吸い込み空気と分離されるので、その間における空気の吸い込みによる合成樹脂粉粒体の酸化は無視することができない。
【０００７】  本発明は合成樹脂粉粒体を成形機により加熱成形する際に、合成樹脂粉粒体を加熱する際に生ずる前記のごとき問題点を解決するためになされたものであって、原料である合成樹脂粉粒体を成形機に供給するに際して、合成樹脂粉粒体を酸化させることなく、効率よく除湿乾燥することのできる合成樹脂粉粒体の乾燥方法及びその装置を提供することを目的とする。
【発明の開示】
【課題を解決するための手段】
【０００８】  本発明の請求項１に記載の原料予備乾燥タンクは、上面は原料が供給される開口部（１０）が設けられ内部に原材料が収納される胴体部（１２）と、該胴体部（１２）の下面に連通し下方に向かってその断面を減じ最下端において原料供給管（１４）に材料遮断シャッタ（１６）を介して接続された下半部（１８）と、排気口（２０）を有し前記胴体部（１２）の前記開口部（１０）を密閉する蓋体（２２）と、少なくとも一個の除湿エア注入口（２４）を設けたことを特徴とする。【０００９】  本発明の請求項２に記載の原料予備乾燥タンクは、請求項１に記載の原料予備乾燥タンク（２６）において、前記タンクに設けられる前記除湿エア注入口（２４）が前記原料タンクの胴体部（１２）と、前記原料予備乾燥タンク（２６）の前記下半部（１８）の前記材料遮断シャッタ（１６）の近傍に設けたことを特徴とする。【００１０】  本発明の請求項３に記載の合成樹脂粉粒体の加熱乾燥システムは、前記原料予備乾燥タンク（２６）内で予備乾燥された原料を前記原料予備乾燥タンク（２６）の前記材料遮断シャッタ（１６）を介して連結された輸送管（１４）により輸送される。予備乾燥された原料が収納される胴体部（２８）と、該胴体部（２８）の下面に連通し下方に向かってその断面を減じる下半部（３２）が最下端において真空用シャッタ（３０）に連結されてなる予備乾燥原料供給ホッパ（３４）と、  上部には前記予備乾燥原料供給ホッパ（３４）から供給された予備乾燥原料が堆積される予備乾燥原料堆積空間（３６）と、該空間の下方に連通して設けられた中部空間（３８）には縦に分割し各分割部の上部には加熱媒体が流通する加熱管（４０）を中心に加熱板（４２）を多数接合した原料加熱部（４４）が形成され、該加熱部（４４）の下には落下する原料が下端に接続されたエアローダ（４６）に連通する開口部に集合されるように設けた傾斜板（４８）とで構成された原料除湿乾燥装置（５０）と、  除湿乾燥した原料を成形機（５０）の原料供給ホッパ（５２）へ材料供給ホース（５４）により輸送するエアローダ（４６）と、  一端が前記原料除湿乾燥装置（３４）の前記予備乾燥原料堆積空間（３６）に取り付けられ中間にガス取用フィルタ（５６）を介在させた吸引管（５８）に接続された真空ポンプ（６０）と、  前記原料供給用ホッパ（３４）にダストフィルタ（６２）を介して接続され、乾燥装置（２８）または成形機（３８）に取り付けられたレベルスイッチによる感知信号により、吸気または排気するローダブロワ（４０）と、  で構成されることを特徴とする。
【発明の効果】
【００１１】  請求項１または請求項２の原料予備乾燥タンクは、蓋体（２２）を取って上面開口部（１０）から原料を投入した後直ちに蓋体（２２）で密封するので、原料が外気にさらされる時間が極めて少なくなる。蓋体（２２）には排気口（２０）が設けられているので、除湿エア注入口（２４）から除湿エアを注入すると外気は除湿エアに置換され、原料予備乾燥が進行する。【００１２】  本発明の請求項３に記載の合成樹脂粉粒体の加熱乾燥システムでは、前記原料予備乾燥タンク（２６）内で予備乾燥された原料を前記原料予備乾燥タンク（２６）の前記材料遮断シャッタ（１６）を介して連結された輸送管（１４）により輸送される。予備乾燥された原料が収納される胴体部（２８）と、該胴体部（２８）の下面に連通し下方に向かってその断面を減じる下半部（３２）が最下端において真空用シャッタ（３０）に連結されているので、予備乾燥原料供給ホッパ（３４）から、予備乾燥された原料がさらに乾燥される。【００１３】  予備乾燥原料供給ホッパ（３４）により予備乾燥された原料は、真空用シャッタ（３０）を介して、原料供給ホッパ（５２）へ流入する。原料供給ホッパ内では、予備乾燥原料堆積空間（３６）、該空間の下方に連通して設けられた中部空間（３８）、原料加熱部（４４）を順次通過する間に原料は充分に加熱乾燥される。
【発明を実施するための最良の形態】
【００１４】  図１に示すように、本発明の請求項１に記載の原料予備乾燥タンク（２６）には、上面は原料が供給される開口部（１０）が設けられ、内部に原材料が収納される胴体部（１２）と、該胴体部（１２）の下面に連通し、下方に向かってその断面を減じ最下端において原料供給管（１４）に材料遮断シャッタ（１６）を介して接続し、下半部（１８）とで原料収納空間が形成されている。また、図２の原料予備乾燥タンク（２６）平面図、図３の側面図に示すように、開口部（１０）を密閉する蓋体（２２）には、排気口（２０）が設けられている。また、側面には除湿エア注入口（２４）が設けられている。から除湿エアが注入され、原料予備乾燥タンク内の原料は酸化が防止されるとともに、緩やかな除湿乾燥が進行する。【００１５】  原料除湿乾燥装置（５３）上部には前記予備乾燥原料供給ホッパ（３４）から供給された予備乾燥原料が堆積される予備乾燥原料堆積空間（３６）と、該空間の下方に連通して設けられた中部空間（３８）には縦に分割し各分割部の上部には加熱媒体が流通する加熱管（４０）を中心に加熱板（４２）を多数接合した原料加熱部（４４）が形成され、該加熱部（４４）の下には落下する原料が下端に接続されたエアローダ（４６）に連通する開口部に集合されるように設けた傾斜板（４８）とで構成されている。【００１６】  前記原料除湿乾燥装置（３４）の前記予備乾燥原料堆積空間（３６）に取り付けられ、中間にガス取用フィルタ（５６）を介在させた吸引管（５８）に接続された真空ポンプ（６０）と、前記原料供給用ホッパ（３４）にダストフィルタ（６２）を介して接続され、乾燥装置（２８）または成形機（３８）に取り付けられたレベルスィッチ（ＬＥＳ又はＫＳ）による感知信号により、吸気または排気するローダブロワ（６０）で構成される。なお、（６６）は除湿ユニットであり、（６８）は除湿エア供給管である。
【図面の簡単な説明】
【００１７】
【図１】本発明システムのフロー図である。
【図２】予備除湿装置の平面図である。
【図３】予備除湿装置の正面図である。
【符号の説明】
【００１８】    １４        原料供給管    １６        材料遮断シャッタ    ２０        排気口    ２２        蓋体    ２４        除湿エア注入口    ２６        原料予備乾燥タンク    ３４        予備乾燥原料供給ホッパ    ４４        加熱部    ４８        傾斜板    ５０        成形機    ５２        原料供給ホッパ    ５６        ガス取りフィルタ    ６０        真空ポンプ    ６２        ダストフィルタ    ６４        ローダブロワ
【図１】
2007083696.tif 000003
【図２】
2007083696.tif 000004
【図３】
2007083696.tif 000005
【手続補正書】
【提出日】平成18年6月30日(2006.6.30)
【手続補正１】
【補正対象書類名】特許請求の範囲
【補正対象項目名】請求項３
【補正方法】変更
【補正の内容】
【請求項３】
前記原料予備乾燥タンク（２６）内で予備乾燥された原料を前記原料予備乾燥タンク（２６）の前記材料遮断シャッタ（１６）を介して連結された原料供給管（１４）により輸送される予備乾燥された原料が収納される胴体部（２８）と、該胴体部（２８）の下面に連通し下方に向かってその断面を減じる下半部（３２）が最下端において真空用シャッタ（３０）に連結されてなる予備乾燥原料供給ホッパ（３４）と、
上部には前記予備乾燥原料供給ホッパ（３４）から供給された予備乾燥原料が堆積される予備乾燥原料堆積空間（３６）と、該空間の下方に連通して設けられた中部空間（３８）には縦に分割し各分割部の上部には加熱媒体が流通する加熱管（４０）を中心に加熱板（４２）を多数接合した原料加熱部（４４）が形成され、該加熱部（４４）の下には落下する原料が下端に接続されたエアローダ（４６）に連通する開口部に集合されるように設けた傾斜板（４８）とで構成された原料除湿乾燥装置（５０）と、
除湿乾燥した原料を成形機（５３）の原料供給ホッパ（５２）へ材料供給ホース（５４）により輸送するエアローダ（４６）と、
先端が前記原料除湿乾燥装置（５０）の前記予備乾燥原料堆積空間（３６）に取り付けられ中間に第１のガス取用フィルタ（５６ａ）を介在させた第１の吸引管（５８ａ）の基端が取り付けられ、前記第一の吸引管（５８ａ）から三方弁（７０）を介して分岐し第２のガス取用フィルタ（５６ｂ）を介してその先端は成形機の原料供給ホッパ（５２）に接続された第２の吸引管（５８ｂ）を有する真空ポンプ（６０）と、
前記原料供給用ホッパ（３４）に第１のガス取り用フィルタ（５６ａ）を介して接続され、乾燥装置（２８）または成形機（５０）に取り付けられたレベルスィッチによる感知信号により、吸気または排気するローダブロワ（４０）と、
で構成されることを特徴とする合成樹脂粉粒体の加熱乾燥粒子の乾燥システム。
【手続補正２】
【補正対象書類名】明細書
【補正対象項目名】００１０
【補正方法】変更
【補正の内容】
【００１０】
本発明の請求項３に記載の合成樹脂粉粒体の加熱乾燥システムは、前記原料予備乾燥タンク（２６）内で予備乾燥された原料を前記原料予備乾燥タンク（２６）の前記材料遮断シャッタ（１６）を介して連結された輸送管（１４）により輸送される。予備乾燥された原料が収納される胴体部（２８）と、該胴体部（２８）の下面に連通し下方に向かってその断面を減じる下半部（３２）が最下端において真空用シャッタ（３０）に連結されてなる予備乾燥原料供給ホッパ（３４）と、
上部には前記予備乾燥原料供給ホッパ（３４）から供給された予備乾燥原料が堆積される予備乾燥原料堆積空間（３６）と、該空間の下方に連通して設けられた中部空間（３８）には縦に分割し各分割部の上部には加熱媒体が流通する加熱管（４０）を中心に加熱板（４２）を多数接合した原料加熱部（４４）が形成され、該加熱部（４４）の下には落下する原料が下端に接続されたエアローダ（４６）に連通する開口部に集合されるように設けた傾斜板（４８）とで構成された原料除湿乾燥装置（５０）と、
除湿乾燥した原料を成形機（５０）の原料供給ホッパ（５２）へ材料供給ホース（５４）により輸送するエアローダ（４６）と、先端が前記原料除湿乾燥装置（５０）の前記予備乾燥原料堆積空間（３６）に取り付けられ中間に第１のガス取用フィルタ（５６ａ）を介在させた第１の吸引管（５８ａ）の基端が取り付けられ、前記第一の吸引管（５８ａ）から三方弁（７０）を介して分岐し第２のガス取用フィルタ（５６ｂ）を介してその先端は成形機の原料供給ホッパ（５２）に接続された第２の吸引管（５８ｂ）を有する真空ポンプ（６０）と、
で構成されることを特徴とする。
【手続補正３】
【補正対象書類名】明細書
【補正対象項目名】００１４
【補正方法】変更
【補正の内容】
【００１４】
図１に示すように、本発明の請求項１に記載の原料予備乾燥タンク（２６）には、上面は原料が供給される開口部（１０）が設けられ、内部に原材料が収納される胴体部（１２）と、該胴体部（１２）の下面に連通し、下方に向かってその断面を減じ最下端において原料供給管（１４）に材料遮断シャッタ（１６）を介して接続し、下半部（１８）とで原料収納空間が形成されている。また、図２の原料予備乾燥タンク（２６）平面図、図３の側面図に示すように、開口部（１０）を密閉する蓋体（２２）には、排気口（２０）が設けられている。また、側面には除湿エア注入口（２４）が設けられている。から除湿エアが注入され、原料予備乾燥タンク内の原料は酸化が防止されるとともに、緩やかな除湿乾燥が進行する。原料供給ホッパ（３８）取付部に接続された吸引管（５９ｂ）は、ガス取りフィルタ（５６ｂ）および電磁弁（６１）を介して真空ポンプ（６０）の吸引口に接続されている。
【手続補正４】
【補正対象書類名】明細書
【補正対象項目名】００１６
【補正方法】変更
【補正の内容】
【００１６】
前記原料除湿乾燥装置（５０）の前記予備乾燥原料堆積空間（３６）に取り付けられ、中間に第１のガス取用フィルタ（５６ａ）を介在させた第１の吸引管（５８ａ）に接続された真空ポンプ（６０）と、前記原料供給用ホッパ（３４）にダストフィルタ（６２）を介して接続され、原料供給ホッパ（３４）または成形機（５３）に取り付けられたレベルスィッチ（ＬＥＳ又はＫＳ）による感知信号により、吸気または排気するローダブロワ（６４）で構成される。なお、成形機（５３）に取り付けたレベルスィッチＬＥＳからの感知信号により、エアローダ（４６）が作動し、原料供給ホッパ（３２）に取り付けたレベルスィッチＫＳからの感知信号により、ローダブロワ（６４）が作動するが、いずれかの感知信号によりエアローダ（４６）およびローダブロワ（６４）が共に作動するようにしても良い。（６６）は除湿ユニットであり、（６８）は除湿エア供給管である。
【手続補正５】
【補正対象書類名】明細書
【補正対象項目名】００１７
【補正方法】変更
【補正の内容】
【００１７】
【図１】本発明システムのフロー図である。
【図２】予備除湿装置の平面図である。
【図３】予備除湿装置の正面図である。
【手続補正６】
【補正対象書類名】明細書
【補正対象項目名】００１８
【補正方法】変更
【補正の内容】
【００１８】
１４        原料供給管
１６        材料遮断シャッタ
２０        排気口
２２        蓋体
２４        除湿エア注入口
２６        原料予備乾燥タンク
３４        予備乾燥原料供給ホッパ
４４        加熱部
４８        傾斜板
５０        成形機
５２        原料供給ホッパ
５３        原料除湿乾燥装置
５４        材料供給ホース
５６ａ      第１のガス取りフィルタ
５６ｂ      第２のガス取りフィルタ
５８ａ      第１の吸引管
５８ｂ      第２の吸引管
６０        真空ポンプ
６２        ダストフィルタ
６４        ローダブロワ
６６        除湿ユニット
７０        三方弁
【手続補正７】
【補正対象書類名】図面
【補正対象項目名】図１
【補正方法】変更
【補正の内容】
【図１】
2007083696.tif 000006